(57)【要約】【課題】  簡易な構成で、光沢度が低いコート紙や、着色されたコート紙をコート紙であると判別でき、さらには両面コート紙をも判別できる紙種検知方法を提供する。【解決手段】  上ローラ及び下ベルトの回転速度を検知する検知手段を設ける。紙が定着ニップを通過する時の、上ローラと下ベルトの速度比（又は速度差）をこれで検出し、この速度比が所定値以下の場合に両面コート紙であると検知する。さらに、両面コート紙であると検知した場合には、両面コート紙用に定着、現像、転写などの画像形成条件を変更する。なお、この紙種検知は、あるコピージョブの、又はある給紙カセットからの給紙の１枚目のみで行い、後続の紙はその紙種検知に基づき、画像形成条件を変更していく。【選択図】  図１
2006195346.tif 000002
【特許請求の範囲】
【請求項１】
潜像を担持する潜像担持体と、該潜像担持体に現像剤を付与することにより上記潜像を現像剤像として可視化する現像装置と、給紙カセットより所定方向に搬送される記録材に該現像装置による該現像剤像を転写する転写手段と、
発熱手段を内蔵し、駆動源により駆動を与えられ回転する加熱定着ローラと、この加熱定着ローラに当接することにより従動回転するエンドレスベルトと、該エンドレスベルト内側に配置され、エンドレスベルトを加熱定着ローラに押圧させる加圧部材とを具備し、前記エンドレスベルトを前記加熱定着ローラに所定角度巻き付けて、該エンドレスベルトと該加熱定着ローラとの間に記録材が通過させられるニップ部を形成し、
該転写手段によって上記現像剤像の転写を受けた上記記録材を所定の定着処理条件にて加熱及び加圧することにより上記現像剤像を上記記録材に定着させる定着装置を備える画像形成装置において、
上記加熱定着ローラとエンドレスベルトの回転速度を検知する手段を有し、画像形成に供される記録材が、前記エンドレスベルトと加熱定着ローラとの間に形成させたニップ部を通過する際に、加熱定着ローラとエンドレスベルトのそれぞれの回転速度を検知し、さらにそれぞれの回転速度の検知結果からその回転速度の比率または回転速度の差を求め、この求められた回転速度の比率または回転速度の差に基ずいて記録材の種類を判別を行い、回転速度を検知が行われた記録材の次から画像形成に供される後続の記録材であって、同一のコピージョブ内又は同一の給紙カセット内のすべての記録材に対して、記録材の種類に応じて画像形成条件を変更していくことを特徴とする画像形成装置。
【請求項２】
上記の回転速度の比率において、次の比率値Ｖｔ
Ｖｔ＝エンドレスベルトの回転速度／加熱定着ローラの回転速度
が、所定値以下の場合には、両面光沢紙であると判断し、画像形成条件の変更において、両面光沢紙用の画像形成条件を適用することを特徴とする請求項１に記載の画像形成装置。
【請求項３】
上記の回転速度の差において、次の差分値Ｖｓ
Ｖｓ＝加熱定着ローラの回転速度−エンドレスベルトの回転速度
が、所定値以上の場合には、両面光沢紙であると判断し、画像形成条件の変更において、両面光沢紙用の画像形成条件を適用することを特徴とする請求項１に記載の画像形成装置。
【請求項４】
上記画像形成条件の変更においては、定着装置の画像形成における定着条件を変更することを特徴とする請求項１〜３に記載の画像形成装置。
【請求項５】
上記画像形成条件の変更においては、画像形成における現像条件を変更することを特徴とする請求項１〜３に記載の画像形成装置。
【請求項６】
上記画像形成条件の変更においては、転写手段の画像形成における転写条件を変更することを特徴とする請求項１〜３に記載の画像形成装置。
【発明の詳細な説明】
【技術分野】
【０００１】
本発明は複写機、プリンタ等の画像形成装置に使用される記録材として用いられる普通紙、表面にコート剤を塗布してあるコート紙等の種類を判別する紙種検知方法、並びにその紙種検知方法を利用した画像形成装置に関する。
【背景技術】
【０００２】
従来、コート紙であるかどうかを判別する方法として、光学的に紙自体の光沢度を検知する方法がとられており、その代表例として、図８に示すようなものがある。図８において（Ａ）は搬送方向側から見た正面図であり、（Ｂ）はその側面図である。この光沢度検知手段は、発光部材と受光部材と、を有し、発光部材によって記録材表面上に向けて発光し、その反射光を受光部材によって受光して光沢度を検知している。また、この光沢度検知手段は、給紙カセットと画像形成部直前にあるレジスト手段との間に設けられ、光沢度を検知するようになっている。このような光沢度検知手段により、記録材自体の光沢度がある所定値以上の場合には、コート紙であると判断している。
【０００３】
又、別の従来例としては、例えば特許文献１と特許文献２をあげることが出来る。
【特許文献１】特開平０７−０１３４６１号公報
【特許文献２】特開平０８−３０５２１０号公報
【発明の開示】
【発明が解決しようとする課題】
【０００４】
しかしながら、コート紙の中には、光沢度が低いコート紙や、着色されたコート紙が存在し、このようなコート紙は、上記のような光沢度検知方法による紙種検知方法では、コート紙であると検知できないという問題があった。さらに、表裏ともコートが施されている両面コート紙に対しては、従来では、光沢度検知手段を表用、裏用と２個設ける必要があり、装置の複雑化を招いていた。
【０００５】
そこで本発明は、簡易な構成で、光沢度が低いコート紙や、着色されたコート紙をコート紙であると判別でき、さらには両面コート紙をも判別できる紙種検知方法を提供することを目的とする。そして、さらに本発明は、コート紙に適した画像形成条件で画像形成を行うことができ、また、コート紙特有の問題点をも発生しない画像形成装置を提供することも目的とする。
【課題を解決するための手段】
【０００６】
上記目的を達成するために本発明は、潜像を担持する潜像担持体と、該潜像担持体に現像剤を付与することにより上記潜像を現像剤像として可視化する現像装置と、給紙カセットより所定方向に搬送される記録材に該現像装置による該現像剤像を転写する転写手段と、発熱手段を内蔵し、駆動源により駆動を与えられ回転する加熱定着ローラと、この加熱定着ローラに当接することにより従動回転するエンドレスベルトと、該エンドレスベルト内側に配置され、エンドレスベルトを加熱定着ローラに押圧させる加圧部材とを具備し、前記エンドレスベルトを前記加熱定着ローラに所定角度巻き付けて、該エンドレスベルトと該加熱定着ローラとの間に記録材が通過させられるニップ部を形成し、該転写手段によって上記現像剤像の転写を受けた上記記録材を所定の定着処理条件にて加熱及び加圧することにより上記現像剤像を上記記録材に定着させる定着装置を備える画像形成装置において、上記加熱定着ローラとエンドレスベルトの回転速度を検知する手段を有し、画像形成に供される記録材が、前記エンドレスベルトと加熱定着ローラとの間に形成させたニップ部を通過する際に、加熱定着ローラとエンドレスベルトのそれぞれの回転速度を検知し、さらにそれぞれの回転速度の検知結果からその回転速度の比率または回転速度の差を求め、この求められた回転速度の比率または回転速度の差に基ずいて記録材の種類を判別を行い、回転速度を検知が行われた記録材の次から画像形成に供される後続の記録材であって、同一のコピージョブ内又は同一の給紙カセット内のすべての記録材に対して、記録材の種類に応じて画像形成条件を変更していくことを特徴としている。
【０００７】
本発明によれば、紙種検知方法として、加熱定着ローラとエンドレスベルトの回転速度を検知する手段を設け、その回転速度の比率または回転速度の差に基づいて記録材の種類を判別を行うので、従来の光沢度検知手段では検知できなかった、光沢度が低いコート紙や、着色されたコート紙、さらには両面コート紙をも判別できる紙種検知を簡易な構成で達成することができる。また、記録材の種類の判別に応じて、画像形成条件を変更していくので、コート紙に適した画像形成条件で画像形成を行うことができ、また、コート紙特有の問題点をも防止できる。
【発明の効果】
【０００８】
以上説明したように本発明によれば、紙種検知方法として、加熱定着ローラとエンドレスベルトの回転速度を検知する手段を設け、その回転速度の比率または回転速度の差に基づいて記録材の種類を判別を行うので、従来の光学的検知手段では検知できなかった、光沢度が低いコート紙や、着色されたコート紙もコート紙であると検知できるようになった。また、両面コート紙については、複雑な構成とならずに、簡易な構成で紙種検知をできるようになった。さらに、記録材の種類の判別に応じて、画像形成条件を変更していくので、記録材に適した画像形成を行うこともできるようになった。
【発明を実施するための最良の形態】
【０００９】
以下、添付図面を用いて、本発明の画像形成装置を詳細に説明する。
【実施例１】
【００１０】
図１は、本発明の実施の形態１に係る画像形成装置を示す概略構成図である。本画像形成装置は、４つの画像形成部（画像形成ユニット）を有する電子写真方式のフルカラーレーザプリンタである。
【００１１】
この画像形成装置（プリンタ）は、感光ドラムの周囲に画像形成手段を有して構成される画像形成部（画像形成ユニット）が、マゼンタ、シアン、イエロー、ブラックの４色に対応して設けられ、各画像形成部にて形成された感光ドラム上のトナー像が、この感光ドラムに対向して移動する転写ベルトにより搬送される転写材上に転写される構成となっている。
【００１２】
即ち、図１、図２に示すように、マゼンタ、シアン、イエロー、ブラックの各画像形成部（画像形成ユニット）１Ｍ、１Ｃ、１Ｙ、１Ｂｋには、それぞれ感光ドラム２ａ，２ｂ，２ｃ，２ｄが配設されており、矢印方向（時計方向）に回転される。なお、図２は画像形成部１Ｂｋを示した図であり、他の画像形成部１Ｍ、１Ｃ、１Ｙも同様に構成されている。
【００１３】
各感光ドラム２ａ，２ｂ，２ｃ，２ｄの周囲には、感光ドラム２ａ，２ｂ，２ｃ，２ｄの回転方向に沿って１次帯電器３ａ，３ｂ，３ｃ，３ｄ、現像装置４ａ，４ｂ，４ｃ，４ｄ、転写帯電器５ａ，５ｂ，５ｃ，５ｄ、画像濃度検知センサ６ａ，６ｂ，６ｃ，６ｄ、クリーニング器（クリーニングブレード）８ａ，８ｂ，８ｃ，８ｄ、前露光ランプ９ａ，９ｂ，９ｃ，９ｄがそれぞれ配設されている。
【００１４】
また、感光ドラム２ａ，２ｂ，２ｃ，２ｄの回転方向に沿って、１次帯電器３ａ，３ｂ，３ｃ，３ｄと現像装置４ａ，４ｂ，４ｃ，４ｄとの間の上方には露光装置（走査光学装置）１０ａ，１０ｂ，１０ｃ，１０ｄがそれぞれ配設されている。更に、各感光ドラム２ａ，２ｂ，２ｃ，２ｄの回転方向に対して１次帯電器３ａ，３ｂ，３ｃ，３ｄの上流側には１次前帯電器（不図示）がそれぞれ近接して配設されている。
【００１５】
感光ドラム２ａ、２ｂ、２ｃ、２ｄは、本実施の形態では負帯電の有機感光体（ＯＰＣ）でアルミニウム等のドラム基体（不図示）上に感光体層（不図示）を有しており、駆動装置（不図示）によって矢印方向（時計方向）に所定のプロセススピードで回転駆動される。
【００１６】
次に、上記した画像形成装置による画像形成動作について説明する。
【００１７】
画像形成動作開始信号が発せられると、所定のプロセススピードで回転駆動される画像形成部１Ｍ、１Ｃ、１Ｙ、１Ｂｋの各感光ドラム２ａ，２ｂ，２ｃ，２ｄは、それぞれ１次帯電器３ａ，３ｂ，３ｃ，３ｄと１次前帯電器（不図示）によって一様に本実施の形態では負極性に帯電される。そして、露光装置１０ａ，１０ｂ，１０ｃ，１０ｄは、ホストコンピュータ（不図示）から入力されるカラー色分解された画像信号をレーザ出力部（不図示）にて光信号にそれぞれ変換し、変換された光信号であるレーザ光を、帯電された各感光ドラム２ａ，２ｂ，２ｃ，２ｄｄ上にそれぞれ走査露光して静電潜像を形成する。
【００１８】
そして、先ず感光ドラム２ａ上に形成された静電潜像に、感光ドラム２ａの帯電極性（負極性）と同極性の現像バイアスが印加された現像装置４ａによりマゼンタのトナーを付着させて、トナー像として可視像化する。現像装置４ａ（４ｂ，４ｃ，４ｄ）による現像方法としては、例えばトナー粒子に対して磁性キャリアを混合したものを現像剤として用いて磁気力によって搬送し、感光ドラム２ａ（２ｂ，２ｃ，２ｄ）に対して接触状態で現像する２成分接触現像法を用いることができる。また、本実施の形態では、露光部にトナーを付着させる反転現像であり、負帯電性のトナーを使用した。さらに、感光ドラム２ａ（２ｂ，２ｃ，２ｄ）上に反転現像における暗電位Ｖｄを−６００Ｖ、明電位Ｖｌを−１２０Ｖとし、現像スリーブにピーク・トゥ・ピーク電圧２０００Ｖ、周波数２０００Ｈｚの交流電圧と−４５０Ｖの直流電圧を重畳した現像バイアスを印加して現像している。また、負帯電性のトナーとしては離型性を有するパラフィン又はポリオレフィン等のワックスを内包させたタイプのトナーを用いている。このようなワックス内包型のトナーを用いることで、定着時に熱によりワックスが沁み出し、従来のように定着ローラ表面に多量の離型オイルを塗布しなくても、高い離型性を得ることができる。
【００１９】
そして、トナー像の形成タイミングに合わせてカセット（不図示）に収納された用紙などの転写材Ｐが給紙ローラ１７により給紙され、駆動ローラ１２の駆動によって回転される転写ベルト１１表面に吸着バイアスが印加された吸着ローラ（不図示）によって転写材Ｐが静電吸着されて、画像形成部１Ｍの感光ドラム２ａと転写帯電器５ａ間の転写部に搬送され、転写電源（不図示）から転写バイアス（トナーと逆極性（正極性））が印加された転写帯電器５ａにより、マゼンタのトナー像が転写材Ｐ上に転写される。転写ベルト１１は、駆動ローラ１２と従動ローラ１３，１４間に張架されており、駆動ローラ１２の回転駆動によって矢印方向（反時計方向）に回転（移動）される。
【００２０】
そして、クリーニング器（クリーニングブレード）８ａによって、感光ドラム２ａ上の転写残りトナーを掻き落としてクリーニングする。そして、前露光ランプ９ａによる露光によって感光ドラム２ａ上の負電荷の消去を行い、帯電工程前に感光ドラム２ａ上の表面電位の均一化を行い、帯電工程に移行する。なお、前露光ランプ９ａは、感光ドラム２ａの感度に合致した波長を有する光源であれば良く、適当なランプを選択することができる。
【００２１】
そして、マゼンタのトナー像が転写された転写材Ｐは転写ベルト１１表面に吸着されて画像形成部１Ｃ側に移動される。そして、画像形成部１Ｃの転写部においても、前記同様にして感光ドラム２ｂに形成されたシアンのトナー像を、転写材Ｐ上のマゼンタのトナー像上に重ね合わせて、転写バイアス（トナーと逆極性（正極性））が印加された転写帯電器５ｂにより転写される。
【００２２】
以下、同様にして転写材Ｐ上に重畳転写されたマゼンタ、シアンのトナー像上に、画像形成部１Ｙ，１Ｂｋの感光ドラム２ｃ，２ｄで形成されたイエロー、ブラックのトナー像を、各転写部にて転写バイアス（トナーと逆極性（正極性））が印加された転写帯電器５ｃ，５ｄにより順次重ね合わせて、フルカラーのトナー像を転写材Ｐ上に形成する。
【００２３】
そして、フルカラーのトナー像が形成された転写材Ｐは転写ベルト１１表面から分離されて定着装置２０に搬送され、定着装置２０の定着ローラ３０とエンドレスベルト２２間の定着ニップ部でフルカラーのトナー像を加熱、加圧して転写材Ｐ表面に熱定着した後に排紙トレイ（不図示）に排出して、一連の画像形成動作を終了する。また、転写ベルト１１上に付着したトナーなどは、ベルトクリーニング部材１５によって除去される。
【００２４】
図３は本発明の特徴となる定着装置を示す要部断面の概略構成図である。
【００２５】
同図に示すように、この加熱定着装置は、ヒータとしてのハロゲンランプ３１を内蔵した加熱定着ローラ（加熱定着部材）３０と、この加熱定着ローラ３０の周面の一部に巻き付くようにして圧接され、かかる加熱定着ローラ３０と相俟って記録シートＰを挟み込むニップ領域を形成する無端状のベルト（以下エンドレスベルトという）２と、かかるニップ領域の終端部において上記エンドレスベルト２２の内側から加熱定着ローラ３０に圧接し、加熱定着ローラ３０と記録シートＰとの分離を行う分離ローラ２３と、やはり上記ニップ領域内において加熱定着ローラ３０に圧接し、定着ニップの一部を形成する加圧ローラ４０とから構成され、未定着トナー像Ｔを担持した記録シートＰが上記加熱定着ローラ４０とエンドレスベルト２２の間に挿通されるようになっている。
【００２６】
先ず、上記加熱ローラ１は金属製の芯金３２の周囲を弾性体層３３で被覆すると共に、かかる芯金３２の内部に出力６５０Ｗのハロゲンランプ３１を収容したものであり、上記芯金３２としては肉厚１．５ｍｍ程度の熱伝導性に優れたアルミニウム製円筒体が用いられている。上記弾性体層３３は耐熱性を備えた下地層３３ａと溶融したトナーの付着を防止するためのトップコート層３３ｂとからなり、下地層３３ａには厚さ２．５ｍｍのシリコーンゴムが、トップコート層３３ｂには厚さ３０μｍのフッ素ゴムが夫々用いられ、下地層３３ａに対してトップコート層３３ｂをディップコートすることで加熱ローラ３０の周面を鏡面に近い表面状態に保たれている。また、この加熱ローラ３０には図示外の駆動モータが接続されており、所定の角速度で回転駆動されるようになっている。
【００２７】
この加熱定着ローラ３０の表面温度は常に温度センサ２８によって検出されており、マイクロコンピュータからなる図示外の制御部は該検出温度に基づいて上記ハロゲンランプ３１の点灯を制御し、加熱定着ローラ３０の表面温度を常に所定の制御温度に維持するようになっている。
【００２８】
一方、上記エンドレスベルト２２は厚さ７５μｍのポリイミドフィルムからなる基材の上に厚さ１７０μｍの弾性層を設けると共に、かかる弾性層の上に厚さ３０μｍのフッ素ゴムからなる離型層を設けたものであり、上記分離ローラ２３を含む２本のステンレス製ローラ２３，２４に対して架け回されると共に、加熱ローラ３０の回動に連れ回されて自在に回転するように構成されている。
【００２９】
このエンドレスベルト２２が架け回された分離ローラ２３はコイルスプリング３４によって加熱定着ローラ３０の中心へ向け付勢されており、これによって分離ローラが当接した加熱定着ローラの弾性体層にはその内径に向かう歪みが生じており、この歪みにより記録シートＰが加熱定着ローラ３０より分離される。
【００３０】
一方、上記加圧ローラ４０は圧力ローラ２３よりもニップ領域の始端部側に隣接配設され、エンドレスベルト２２の加熱ローラ３０に対する圧接力を向上させ、ニップ領域を形成させるべく、かかるエンドレスベルト２２の裏面側から加熱ローラ３０に圧接している。この加圧ローラ４０はアルミ又はＳＵＳ製の円柱状の芯金４１の上に、厚さ５〜６ｍｍのシリコーンゴム発泡体（以下スポンジという）からなる弾性層４２を基層とし、その上の表層に厚さ１ｍｍのＬＴＶ（Ｌｏｗ  Ｔｅｍｐｅｒａｔｕｒｅ  Ｖｕｌｃａｎｉｚａｔｉｏｎ）シリコーンゴム層４３を設けたものであり、やはりコイルスプリング４４によって加熱ローラ１の中心に向け付勢されている。
【００３１】
なお、スポンジ層４２及びＬＴＶシリコーンゴム層４３のゴム硬度は、アスカーＣ硬度で、それぞれ約３０〜４０°と約４０°である。
【００３２】
そして、以上のように構成された本実施例の画像定着装置においては、上記加熱ローラ３０とエンドレスベルト２２との圧接によって形成されたニップ領域に対して記録シートＰを挿通させると、かかる記録シートＰに担持されていた未定着トナー像Ｔが加熱・加圧されて記録シートＰに定着され、更にかかるニップ領域の終端部で上記分離ローラ２３を加熱ローラ３０に圧接させたことにより、剥離爪等の強制的な剥離手段を用いることなく、ニップ領域を通過した記録シートＰを加熱ローラ３０から自然と剥離させることができるようになっている。
【００３３】
次に、本発明の要部をなす、回転速度の検知を用いた紙種検知方法について説明する。まずは、加熱ローラ３０とエンドレスベルト２２の回転速度の検知について述べる。回転速度の検知については、従来から行われている回転速度の検知方法を、適宜採択することができる。図４，５は、フォトセンサーによりエンドレスベルトの回転速度の検知を行った場合を示している。図４，５に示すようにフォトセンサー５８は、エンドレスベルト２２の片側縁側に該側縁部をはさむように定置配置してある。また、エンドレスベルト２２のその側の側縁部には縁部に沿って透孔５１又はエンドレスベルト２２に光を透過する透過部と、光を遮る遮光部とを一定間隔で具備させてある。エンドレスベルトが回転移動されることで、エンドレスベルト２２の上記透過部と遮光部のセンサー部５８の通過でフォトセンサー５８の光路が断続的に遮られてフォトセンサー５８からエンドレスベルト２２の移動速度に対応した間隔・巾のパルス信号が出力される。このセンサー５８の信号により図不示のマイクロコンピュータでタイマーを用いてエンドレスベルト２２の移動速度Ｖｂを計数する。
【００３４】
また、加熱ローラ３０の回転速度の検知については、図６に示すようなものを用いることができる。図６に示すように加熱ローラ３０と一対に回転するスリット円板（検知板）５２を設け、この円板５２にフォトセンサー５９を組み合わせて加熱ローラ３０の回転速度を計測する。このスリットによりフォトセンサー５９の光路が断続的に遮られて、フォトセンサー５９から加熱ローラ３０の回転速度に対応した間隔・巾のパルス信号が出力されて、上記と同様に図不示のマイクロコンピュータでタイマーを用いて加熱ローラ３０の回転速度Ｖｒを計数する。
【００３５】
以上説明したように回転速度の検知にあたっては、透過型のセンサーを用いたが、図７に示すように反射型のセンサーを用い、エンドレスベルト２２の片側端部に光を遮光するためのマスキング処理（図中の斜線）を施し、その上に光を反射する白色のパターンを等間隔で印刷し、その反射の繰り返しを読み取ることで速度検知を行うこともできる。このように、回転速度の検知にあたっては適宜の手段構成を採択することができる。
【００３６】
以上のような、回転速度の検知手段により、記録材がニップ領域を通過する時の、それぞれの回転速度Ｖｂ、Ｖｒを検知する。このように、記録材がニップ領域を通過する時にそれぞれの回転速度を検知するのは、画像形成に供されるすべての記録材に対して行う必要はない。つまり、同一のコピージョブ中又は同一の給紙カセット内では、同種の記録材となっているため、同一のコピージョブ中においては、そのコピージョブで最初に画像形成に供される記録材に対してのみ、また、同一の給紙カセット内にあたっては、その給紙カセットで最初に画像形成に供される記録材に対してのみ、回転速度の検知を行い、その後続の記録材に対しては、最初の記録材の検知結果を適用すれば良い。
【００３７】
以上のようにして求められた、記録材がニップ領域を通過する時のそれぞれの回転速度Ｖｂ、Ｖｒに対し、本実施例ではその比率Ｖｔ
Ｖｔ＝エンドレスベルトの回転速度Ｖｂ／加熱定着ローラの回転速度Ｖｒ
を求める。我々の鋭意努力の検討結果により、両面コート紙の場合にはこの比率Ｖｔが０．９９８以下となり、普通紙の場合には０．９９９以上となることがわかった。そこで、本実施例では、Ｖｔ≦０．９９８の時には、両面コート紙であると判別し、Ｖｔ≧０．９９９の場合には普通紙であると判別する。このように、両面コート紙において、エンドレスベルトの回転速度Ｖｂが加熱定着ローラの回転速度Ｖｒに対して若干遅れるのは、両面コート紙が表面にコート剤が塗布してあり、表裏とも平滑度が良いためで、これにより両面コート紙とエンドレスベルトとの間に微小な滑りが生じているためである。
【００３８】
そして、このような最初の記録材に対して行われた紙種判別の結果に基づいて、後続の記録材に対して、その記録材に最適の画像形成条件が適用される。本実施例においては、両面コート紙用に定着条件を変更していく。
【００３９】
両面コート紙における問題点として、紙に熱量を与え過ぎると、紙自体に含まれている水分が蒸発を起こし、この蒸発した水分が両面コート紙の場合には、表面にコート剤の塗工層があるため、紙の外へ逃げられず膨張する。これにより、紙が所々膨れ上がるという現象が生じる（以下、ペーパーブリスタと記す）。この現象を防止するため、本実施例では、上記の紙種検知方法で両面コート紙であると判別された場合には、同一のコピージョブ内や同一の給紙カセット内の後続の紙に対して、加熱定着ローラの表面温度にある所定の上限温度Ｔｕを設け、表面温度がＴｕを上回った時には、加熱定着ローラの表面温度を下げるために、一時的にコピー動作を中断するダウンシーケンスに入る。このダウンシーケンスは、本実施例では、加熱定着ローラの表面を冷却するため、加熱定着ローラが回転したままで、記録材の定着処理を行わずに、図不示の冷却ファンを加熱定着ローラ表面に当て空冷を行う。本実施例の画像形成装置においては、両面コート紙用の定着条件として、定着速度を１００ｍｍ／ｓｅｃ、定着温度を１７５℃としているが、この定着速度で定着温度が２００℃を超えるとペーパーブリスタ現象が発生するので、上記の上限温度Ｔｕとして、Ｔｕ＝２００℃と設定している。よって、温度センサ  による検出温度が、連続コピー後の加熱定着ローラ表面温度のオーバーシュートなどによりＴｕ＝２００℃を超えた時には一時的にダウンシーケンスに入り、冷却により２００℃以下となった場合にはコピー動作を再開する。
【００４０】
本実施例によれば、紙種検知方法として、加熱定着ローラとエンドレスベルトの回転速度を検知する手段を設け、その回転速度の比率に基ずいて記録材の種類を判別を行うので、従来の光学的な検知手段では検知できなかった、光沢度が低いコート紙や、着色されたコート紙を判別できる紙種検知方法を簡易な構成で達成することができた。また、この紙種検知方法で両面コート紙であると判別された場合には、ペーパーブリスタの防止できるように定着温度条件を付加しているので、両面コート紙の使用における問題点をなくすことができた。
【実施例２】
【００４１】
実施例１においては、紙種検知の結果により定着条件を変更したが、両面コート紙用に画像形成における現像条件を変更しても良い。両面コート紙においては、現像時に画像部以外の白地部に付着した反転トナーが、転写時に紙に転写されやすく、出力された紙の白地部には、かぶりトナーが目立ちやすい。そこで、本実施例においては、このかぶりトナーを抑制するために、反転現像における感光ドラム上の暗電位Ｖｄと現像スリーブに印加される直流電圧Ｖｄｃとの差Ｖｂａｃｋを通常より大きめにする。実施例１においては、１５０Ｖとなっているが、両面コート紙であると判別された場合には、２００Ｖとする。つまり、暗電位Ｖｄを−６５０Ｖ、明電位Ｖｌを−１２０Ｖ、現像スリーブに印加される直流電圧Ｖｄｃ  −４５０Ｖとする。以上のようにすることで、両面コート紙における白地部のかぶりを抑制することができる。
【実施例３】
【００４２】
さらに、画像形成における現像条件の他に、転写条件も両面コート紙に変更しても良い。両面コート紙は、普通紙に比べて転写効率が良いので、画像形成における転写電流値を低めに設定する方が良い。そこで、本実施例では、紙種検知の結果で両面コート紙であると判別された場合には、各色の画像形成部における転写バイアス値を普通紙に比べ低めの値に設定する。以上により、両面コート紙において、トナーが紙に載りすぎた事で起こる飛び散り等の画像欠陥のない最適な画像を出力することができる。
【図面の簡単な説明】
【００４３】
【図１】本発明の第一の実施例に係わる画像形成装置を示す概略構成図。
【図２】本発明の第一の実施例に係わる画像形成装置のうちの１つの画像形成部（画像形成ユニット）を示す拡大構成図。
【図３】本発明の第一の実施例に係わる画像形成装置のうちの定着装置を示す概略構成図。
【図４】本発明の第一の実施例に係わるエンドレスベルトの速度検知方法の斜視図。
【図５】本発明の第一の実施例に係わるエンドレスベルトの速度検知方法の平面図。
【図６】本発明の第一の実施例に係わる加熱ローラの速度検知方法の正面図。
【図７】本発明の第一の実施例に係わるエンドレスベルトの速度検知方法で、反射型のセンサーを用いた例。
【図８】従来の光学的な紙種検知方法の代表例。
【符号の説明】
【００４４】
１Ｍ、１Ｃ、１Ｙ、１Ｂｋ  画像形成部
２ａ，２ｂ，２ｃ，２ｄ  感光ドラム（像担持体）
３ａ，３ｂ，３ｃ，３ｄ  １次帯電器（帯電手段）
４ａ，４ｂ，４ｃ，４ｄ  現像装置（現像手段）
５ａ，５ｂ，５ｃ，５ｄ  転写帯電器（転写手段）
６ａ，６ｂ，６ｃ，６ｄ  画像濃度検知センサ（画像濃度検知手段）
８ａ，８ｂ，８ｃ，８ｄ  クリーニング器（クリーニング手段）
９ａ，９ｂ，９ｃ，６ｄ  前露光ランプ
１０ａ，１０ｂ，１０ｃ，１０ｄ  露光装置（露光手段）
１１  転写ベルト
２０  定着装置
３０  定着ローラ
２２  エンドレスベルト
４０  加圧ローラ
Ｐ  記録材
Ｔ  未定着トナー像
２３  分離ローラ
５１  透孔
５８、５９  フォトセンサー
５２  スリット円板
【図１】
2006195346.tif 000003
【図２】
2006195346.tif 000004
【図３】
2006195346.tif 000005
【図４】
2006195346.tif 000006
【図５】
2006195346.tif 000007
【図６】
2006195346.tif 000008
【図７】
2006195346.tif 000009
【図８】
2006195346.tif 000010